(57)【特許請求の範囲】
【請求項１】
壁面に液体を供給するための液体供給システムであって、
前記壁面に沿って上下方向に設置可能な左右一対のレールと、
前記レールの下端に取り付けられ、前記レールを前記壁面に沿った左右方向に移動自在にする移動手段と、
前記レールに取り付けられ当該レールに沿って昇降可能で、前記壁面に対して液体を供給する液体供給ユニットと、
前記壁面に沿って設置された際の前記レールの撓みを防止する撓み防止機構と、を有する、液体供給システム。
【請求項２】
前記撓み防止機構は、
前記レールに沿って張設されたワイヤと、
前記レールの下部に設けられ、前記ワイヤの下端側を固定するワイヤ固定部と、
前記レールの上部に設けられ、前記ワイヤの上端側を巻き取るワイヤ巻取り部と、
前記レールの上部と下部の間に設けられ、前記ワイヤを前記レールに沿ってガイドするワイヤガイド部と、を有する、請求項１に記載の液体供給システム。
【請求項３】
前記ワイヤは、前記レールの長手方向に延びる中心軸よりも前記壁面から離れた位置で当該レールに沿って張設されている、請求項２に記載の液体供給システム。
【請求項４】
前記レールには、前記壁面に近づく方向への撓みを許容する撓み許容部が設けられている、請求項３に記載の液体供給システム。
【請求項５】
前記レールは、複数のレール部材を連結して形成されており、
前記撓み許容部は、前記レール部材の連結部により構成されている、請求項４に記載の液体供給システム。
【請求項６】
前記レールには、前記壁面に向かって突出し当該壁面に当接するスペーサが設けられている、請求項１〜５のいずれかに記載の液体供給システム。
【請求項７】
前記スペーサの先端には、前記レールの長手方向に垂直な左右方向の回転軸周りに回転自在な車輪が設けられている、請求項６に記載の液体供給システム。
【請求項８】
前記スペーサは、前記レール側に退避可能である、請求項６又は７に記載の液体供給システム。
【請求項９】
前記撓み防止機構は、
前記レールから前記壁面側に向けて突出する複数の突出部と、
前記壁面に設けられ、前記突出部が係止される係止部と、を有する、請求項１に記載の液体供給システム。
【請求項１０】
前記係止部は、先端が上方に向いたフックであり、
前記突出部は、下面に凹部を有し、
前記係止部のフックに前記突出部の凹部が係止される、請求項９に記載の液体供給システム。
【請求項１１】
地面に設置され、前記移動手段の前記壁面の左右方向に沿った移動を案内するガイドレールをさらに有している、請求項１〜１０のいずれかに記載の液体供給システム。
【請求項１２】
前記移動手段は車輪であり、
前記ガイドレールには、前記壁面に近接離間する方向への前記車輪のずれを防止する車輪ずれ防止機能が設けられている、請求項１１に記載の液体供給システム。
【発明の詳細な説明】
【技術分野】
【０００１】
本発明は、建物の壁面に液体を供給するための液体供給システムに関する。
【背景技術】
【０００２】
従来より、建物の建築時に、建物の外壁として軽量気泡コンクリートパネル（ＡＬＣパネル）やサイディングを設置し、当該外壁の壁面に吹付け剤を吹き付けて塗装したり、建物のリフォーム時に、外壁の壁面に洗浄液を供給して洗浄することが一般的に行われている。この種の吹付け作業や洗浄作業は、現場にて建物の壁面に足場を作り、人手によって行うことが一般的であった。しかしながら、建物が密集して作業空間が狭小の場合には、足場を作ることができないため、人手による吹付け作業（塗装作業）や洗浄作業が困難であった。
【０００３】
そこで、吹付け作業を狭小地でも行うことができるように、特許文献１には、壁面に対し横方向に設置されたガイドレールと、ガイドレールに沿って横行する門型フレームの横行台車と、該横行台車に沿って昇降する昇降台車とを備え、該昇降台車には、塗装ノズルと、壁面に接触して当該昇降台車の上下方向の移動を案内する案内部材とが設けられた塗装装置が開示されている。この塗装装置では、塗装ノズル等を有する昇降台車が上下、左右方向に移動できるので、作業空間が狭くても足場を作ることなく人手によらず吹付け作業を行うことができる。
【先行技術文献】
【特許文献】
【０００４】
【特許文献１】特開２００４―１０８０４４号公報
【発明の概要】
【発明が解決しようとする課題】
【０００５】
しかしながら、上記塗装装置では、建物の壁面にその壁面の横方向の全体に亘ってガイドレールが配置され、そのガイドレールに、建物の外壁の縦方向の全体に亘って延びる横行台車が支持される。この横行台車には、さらに昇降台車が設置される。この結果、装置全体が大掛かりになっていた。
【０００６】
また、上述の横行台車が有するフレームは、縦方向に長くなるため、撓む虞がある。横行台車のフレームが撓むと、それに設けられた昇降台車の塗装ノズルと壁面との間の距離が場所によって変わり、壁面への塗装にムラを生じてしまう虞がある。このため、横行台車のフレームの撓みを防止すべく、当該フレームを太くし強度を上げる必要がある。加えて、ガイドレールには、横行台車や昇降台車の荷重がかかるため、特に太くし強度を上げる必要がある。この結果、塗装装置全体の重量が増し、塗装装置の設置や、吹付け時の横行台車の移動等に多大な労力が必要になり、吹付け作業が困難になる。
【０００７】
本発明は、かかる点に鑑みてなされたものであり、壁面への吹付けなどの液体供給をムラができないようにしつつ軽量化を図ることができ、吹付け作業などの液体供給作業を簡単に行うことが可能な液体供給システムを提供することをその目的とする。
【課題を解決するための手段】
【０００８】
上記目的を達成するための本発明は、壁面に液体を供給するための液体供給システムであって、前記壁面に沿って上下方向に設置可能な左右一対のレールと、前記レールの下端に取り付けられ、前記レールを前記壁面に沿った左右方向に移動自在にする移動手段と、前記レールに取り付けられ当該レールに沿って昇降可能で、前記壁面に対して液体を供給する液体供給ユニットと、前記壁面に沿って設置された際の前記レールの撓みを防止する撓み防止機構と、を有する。
【０００９】
本発明によれば、撓み防止機構によって壁面への設置時のレールの撓みが防止され、液体供給をムラなく行うことができるので、その分レールを細くして軽量化することができる。また、レールが、その下端に取り付けられた移動手段によって移動するので、従来のような壁面に設置されるガイドレールが必要なく、これによってもシステムを単純化し軽量化することができる。よって、システムの設置や液体供給時のレールの移動などの液体供給作業を簡単に行うことができる。
【００１０】
前記撓み防止機構は、前記レールに沿って張設されたワイヤと、前記レールの下部に設けられ、前記ワイヤの下端側を固定するワイヤ固定部と、前記レールの上部に設けられ、前記ワイヤの上端側を巻き取るワイヤ巻取り部と、前記レールの上部と下部の間に設けられ、前記ワイヤを前記レールに沿ってガイドするワイヤガイド部と、を有していてもよい。かかる場合、ワイヤを巻取ることによりレールの撓みを矯正できるので、レールの撓みの防止を簡単な機構で実現できる。
【００１１】
前記ワイヤは、前記レールの長手方向に延びる中心軸よりも前記壁面から離れた位置で当該レールに沿って張設されていてもよい。かかる場合、ワイヤを巻き取ることにより、レールに壁面側に凸に反る力を付与することができる。これにより、レールに壁面側への付勢力を付与した状態で、レールを壁面に押し付けて設置することができるので、壁面への設置時のレールの姿勢を安定させることができる。また、例えば液体供給ユニットから壁面に液体が供給された反動でレールが前記壁面から離れる方向に撓むことも防止できる。
【００１２】
前記レールには、前記壁面に近づく方向への撓みを許容する撓み許容部が設けられていてもよい。かかる場合、レールを壁面に設置する前にレールを壁面側に凸に反らせることができ、その状態でレールを壁面に押し付けることができる。これにより、レールの壁面側への付勢力を適切に付与した状態でレールを壁面に設置でき、その時のレールの姿勢を確実に安定させることができる。
【００１３】
前記レールは、複数のレール部材を連結して形成されており、前記撓み許容部は、前記レール部材の連結部により構成されていてもよい。かかる場合、特別な機構を設けることなく、撓み許容部を実現できる。
【００１４】
前記レールには、前記壁面に向かって突出し当該壁面に当接するスペーサが設けられていてもよい。かかる場合、レールと壁面との距離を一定にし、液体の供給をムラなく行うことができる。
【００１５】
前記スペーサの先端には、前記レールの長手方向に垂直な左右方向の回転軸周りに回転自在な車輪が設けられていてもよい。かかる場合、レールを壁面に沿って容易に上下に移動させることができる。これにより、例えば壁面の上方からのレールの搬入、搬出を好適に行うことができる。
【００１６】
前記スペーサは、前記レール側に退避可能であってもよい。かかる場合、例えばレールを左右方向にずらずときにスペーサをレール側に退避できるので、既に液体が供給された壁面にスペーサが接触することを防止できる。
【００１７】
前記撓み防止機構は、前記レールから前記壁面側に向けて突出する複数の突出部と、前記壁面に設けられ、前記突出部が係止される係止部と、を有していてもよい。かかる場合、レールの突出部を壁面の係止部に係止することにより、壁面に設置時のレールの撓みを簡単に防止できる。
【００１８】
前記係止部は、先端が上方に向いたフックであり、前記突出部は、下面に凹部を有し、前記係止部のフックに前記突出部の凹部が係止されるものであってもよい。
【００１９】
上記液体供給システムは、地面に設置され、前記移動手段の前記壁面の左右方向に沿った移動を案内するガイドレールをさらに有していてもよい。
【００２０】
前記移動手段は車輪であり、前記ガイドレールには、前記壁面に近接離間する方向への前記車輪のずれを防止する車輪ずれ防止機能が設けられていてもよい。
【発明の効果】
【００２１】
本発明によれば、壁面への液体供給をムラができないようにしつつ液体供給システムの軽量化を図ることができるので、液体供給システムによる液体供給作業を簡単に行うことができる。
【図面の簡単な説明】
【００２２】
【図１】壁面に設置された吹付け塗装システムの正面図である。
【図２】壁面に設置された吹付け塗装システムの側面図である。
【図３】レールの連結部の拡大図である。
【図４】レールが屈曲した状態を示す拡大図である。
【図５】ガイドレールの断面図である。
【図６】ピンの付いたガイドレールの断面図である。
【図７】吹付けユニットの内部構造を示す断面図である。
【図８】（ａ）は、歯止め部材が下側に位置するときのワイヤ巻取り部のラチェット機構を      示す説明図であり、（ｂ）は、歯止め部材が上側に位置するときのワイヤ巻取り部のラ      チェット機構を示す説明図である。
【図９】（ａ）は、歯止め部材が下側に位置するときの他の構造のラチェット機構を示す説      明図であり、（ｂ）は、歯止め部材が上側に位置するときの他の構造のラチェット機構      を示す説明図である。
【図１０】（ａ）は、レールが曲がった状態を示し、（ｂ）は、レールを壁面側に凸に反らせた状態を示し、（ｃ）は、レールを壁面に沿って設置した状態を示す。
【図１１】車輪付きのスペーサを有するレールの側面図である。
【図１２】車輪付きのスペーサを回動させた状態を示す説明図である。
【図１３】レールを壁面のフック状の係止部に係止した状態を示す説明図である。
【図１４】突出部と係止部の構成を示すレールの拡大図である。
【図１５】レールを壁面の係止部に係止するときの動作を示す説明図である。
【発明を実施するための形態】
【００２３】
以下、図面を参照して、本発明の好ましい実施の形態について説明する。図１及び図２は、本実施の形態に係る液体供給システムとしての吹付け塗装システム１の構成の概略を示す説明図である。図１は、建物２の壁面３に設置された吹付け塗装システム１の正面図であり、図２は、建物２の壁面３に設置された吹付け塗装システム１の側面図である。
【００２４】
吹付け塗装システム１は、建物２の壁面３に沿って上下方向に設置可能な左右一対のレール１０と、レール１０の下端に取り付けられた移動手段としての車輪１１と、壁面３に対して吹付け剤を吹き付ける液体供給ユニットとしての吹付けユニット１２と、壁面３に沿って設置された際のレール１０の撓みを防止する撓み防止機構１３を有している。
【００２５】
レール１０は、複数、例えば３つのレール部材２０、２１、２２が上下方向に連結されて構成されている。以下、必要に応じて最上部のレール部材を上部レール部材２０、最下部のレール部材を下部レール部材２１、その間のレール部材を中間レール部材２２という。
【００２６】
図３に示すようにレール部材２０〜２２の隣り合うレール部材同士（レール部材２０とレール部材２２、レール部材２２とレール部材２１）は、板状で細長の連結部材３０をレール部材間に渡し、当該連結部材３０と各レール部材とをボルト及びナットなどの締結部材３１により締結することにより連結されている。隣り合うレール部材２０〜２２同士の間には、隙間Ｄが設けられており、図４に示すように隣り合うレール部材２０〜２２同士がその連結部において僅かに屈曲できるようになっている。このレール部材２０〜２２の連結部が、レール１０全体の壁面３に近づく方向への撓みを許容する撓み許容部Ａとなっている。また、図３に示すように連結部材３０は、レール部材２０〜２２の長手方向に沿った中心軸Ｃ（図３に示す壁面３に対して接近・離間する方向（以下「前後方向Ｘ」とする。）の中心を通る線Ｃ）よりも壁面３側にずれた位置に設けられており、レール部材２０〜２２は、壁面３側に凸に屈曲し易くなっている。
【００２７】
各レール部材２０〜２２の上部と下部には、レール１０と壁面３との距離を一定にするためのスペーサ４０が設けられている。スペーサ４０は、各レール部材２０〜２２から壁面３側に一定距離突出している。また、図１に示すように各レール部材２０〜２２には、左右一対のレール片の間を接続する横フレーム４１が設けられている。
【００２８】
車輪１１は、レール１０の下端に設けられた横フレーム４１の下に取り付けられている。車輪１１は、壁面３に沿った左右方向Ｙの２箇所に設けられている。地面Ｂには、壁面３の左右方向Ｙに沿ったガイドレール５０が設けられている。車輪１１は、このガイドレール５０上に載置され、ガイドレール５０上を回転して左右方向Ｙに移動できる。ガイドレール５０は、図５に示すように中央に突条部５０ａが形成されている。この突条部５０ａは、左右方向Ｙに沿って形成されている。一方、車輪１１は、前後方向Ｘに並べられた２つのタイヤ１１ａ、１１ｂからなり、この２つのタイヤ１１ａ、１１ｂの間には隙間Ｆが形成されている。この車輪１１の隙間Ｆにガイドレール５０の突条部５０ａが嵌め込まれている。また、ガイドレール５０は、比較的重量のある鋼板等により形成されている。このガイドレール５０の構成により、壁面３に対する前後方向Ｘへの車輪１１のずれを防止している。なお、図６に示すようにガイドレール５０の下面に下に尖って突出するピン５０ｂが設けられていてもよく、かかる場合、ガイドレール５０の前後方向Ｘの動きが規制されるので、車輪１１が前後方向Ｘにずれることをより確実に防止され、壁面３と吹付けユニット１２との間隔を一定に保つことができるものとなる。
【００２９】
吹付けユニット１２は、レール１０の左右のレール片の間に配置されている。吹付けユニット１２は、例えば図７に示すように背面と上下左右の面が閉鎖され壁面３側が開口した筺体６０を有している。筺体６０内には、例えば壁面３に向けて吹付け剤を噴出する吹付けノズル６１と、吹付け剤が貯留される貯留室６２が設けられている。貯留室６２と吹付けノズル６１は、管路６３により接続されている。貯留室６２は、外部に設けられた図示しない吹付け剤の供給源に接続されている。また、吹付けノズル６１には、吹付けスイッチ（図示省略）が有線又は無線で接続されている。作業員が当該吹付けスイッチを操作することにより、吹付けノズル６１から壁面３に向けて塗料が吹き付けられる。
【００３０】
例えば筺体６０の上面には、リング６４が取り付けられている。リング６４には、ワイヤ６５が接続され、このワイヤ６５は、図１に示すように上部レール部材２０の最上部の横フレーム４１に設けられた昇降駆動部６６に接続されている。昇降駆動部６６によりワイヤ６５を上下に移動させることにより、吹付けユニット１２をレール１０に沿って昇降することができる。
【００３１】
撓み防止機構１３は、例えばレール１０に沿って張設されたワイヤ７０と、レール１０の下部に設けられ、ワイヤ７０の下端側を固定するワイヤ固定部７１と、レール１０の上部に設けられ、ワイヤ７０の上端側を巻き取るワイヤ巻取り部７２と、レール１０の上部と下部の間に設けられ、ワイヤ７０をレール１０に沿ってガイドするワイヤガイド部７３を有している。
【００３２】
ワイヤ７０は、レール１０の上部から下部に亘り、レール１０の左右の両側面に設けられている。ワイヤ固定部７１は、下部レール部材２１の下部であって、左右の両側面に設けられている。
【００３３】
ワイヤ巻取り部７２は、上部レール部材２０の上部であって、左右の両側面に設けられている。ワイヤ巻取り部７２は、ワイヤ７０の上端側を固定しワイヤ７０が巻き付けられる巻取り軸８０を有している。巻取り軸８０は、円柱状に形成され、レール１０の側面から外側方向に突出している。巻取り軸８０の外側先端は、径が大きくなっており、その大径部分を人が持って巻取り軸８０を回すことができる。また、巻取り軸８０は、レール１０の左右のレール片にそれぞれ設けられているが、左右の巻取り軸８０をポールにより連結する構成も採用可能である。かかる構成によれば、左右の巻き取り軸８０を同期して回転させることができる。
【００３４】
巻取り軸８０には、ラチェット機構８１が設けられている。ラチェット機構８１は、例えば図８に示すように巻取り軸８０に取り付けられた歯車８２と、歯止め部材８３と、歯止め部材８３を歯車８２側に付勢するばね８４を有している。歯止め部材８３は、歯車８２側の面の上部に、図８における歯車８２の左回りを許容し右回りを規制する歯止め８３ａを有し、下部に歯車８２の右回りを許容し左回りを規制する歯止め８３ｂを有している。ばね８４の先端には、歯止め部材８３のばね８４側の面に上下に並べて形成された凹部８３ｃに嵌合する球体８５が設けられている。図８（ａ）に示すように歯止め部材８３を下に移動させ、球体８５を上側の凹部８３ｃに嵌合させることにより、歯車８２が上部の歯止め８３ａに噛み合い、巻取り軸８０の左回りのみを許容する。また、図８（ｂ）に示すように歯止め部材８３を上に移動させ、球体８５を下側の凹部８３ｃに嵌合させることにより、歯車８２が下部の歯止め８３ｂに噛み合い、巻取り軸８０の右回りのみを許容する。これにより、ワイヤ７０を巻き取るときやワイヤ７０を伸ばすときに巻取り軸８０が逆回転することを防止できる。
【００３５】
なお、ラチェット機構８１は、図９に示すように歯止め部材８３は、下部の歯止め８３ｂを有さないものであってもよい。かかる場合、図９（ａ）に示すように歯止め部材８３を下に移動させ、球体８５を上側の凹部８３ｃに嵌合させることにより、歯車８２が上部の歯止め８３ａに噛み合い、巻取り軸８０の左回りのみを許容し、図９（ｂ）に示すように歯止め部材８３を上に移動させ、球体８５を下側の凹部８３ｃに嵌合させることにより、歯車８２が歯止め部材８３から外れ、巻取り軸８０が自由に回転できる。これにより、例えばワイヤ７０を巻き取るときの逆回転を防止しつつ、ワイヤ７０を伸ばすときに巻取り軸８０を自由に回転させることができる。
【００３６】
図１に示すようにワイヤガイド部７３は、レール１０の両側面の上下方向の複数個所に設けられている。ワイヤガイド部７３は、ワイヤ７０が貫通するリング状に形成されている。例えばワイヤガイド部７３は、各レール部材２０〜２２の上部付近と下部付近に設けられている。図３に示すようにワイヤガイド部７３の一部は、レール部材２０〜２２同士の連結部付近（撓み許容部Ａ付近）に設けられている。
【００３７】
次に、以上のように構成された吹付け塗装システム１を用いた壁面３の吹付け作業について説明する。
【００３８】
先ず、吹付け塗装システム１が建物２の壁面３に設置される。初めに建物２の壁面３に沿った地面Ｂにガイドレール５０が設置される。次に、例えば建物２の屋上において各レール部材２０〜２２を下から順に連結しながら、レール１０が屋上から壁面３に沿って下される。車輪１１がガイドレール５０上に下され、各車輪１１の隙間Ｆがガイドレール５０の突条部５０ａに嵌め込まれる。
【００３９】
次に、例えば図１０（ａ）に示すようにワイヤ７０が弛められレール１０が撓んだ状態から、ワイヤ巻取り部７２によりワイヤ７０が巻き取られる。この巻き取りは、作業員が巻取り軸８０を一方向に回転させることにより行われる。ワイヤ７０は、図１０（ｂ）に示すようにレール１０が若干壁面３側に凸に反る程度に巻き取られる。このとき、図４に示したように主にレール部材２０〜２２の連結部の撓み許容部Ａが屈曲してレール１０の全体の反りが実現され、レール１０の全体に壁面３側への付勢力が生じる。その後、図１０（ｃ）に示すようにレール１０が壁面３に押し付けられ、直線状になり、レール１０の各スペーサ４０が壁面３に当接される。こうして、吹付け塗装システム１が建物２の壁面３に設置される。
【００４０】
次に、壁面３への吹付け剤の吹付けが行われる。このとき、吹付けユニット１２が上下動しながら、吹付けノズル６１から壁面３に吹付け剤が吹き付けられる。この吹付けは、左右方向Ｙに幅のある上下方向の帯状に行われる。この上下方向の帯状の吹付けが終了すると、作業員によりレール１０がガイドレール５０に沿って左右方向Ｙにずらされる。その後、再び吹付けユニット１２が上下動して吹付け剤が壁面３に吹き付けられ、所定幅の帯状の吹き付けが行われる。この吹付けが繰り返され、壁面３の所望の範囲に吹付けが行われる。
【００４１】
吹付けの終了後、吹付け塗装システム１が建物２から取り外される際には、図１０（ｂ）に示すようにレール１０が壁面３から離される。その後、巻取り軸８０が巻取り時とは反対に回転され、図１０（ａ）に示すようにワイヤ７０が弛められた状態となる。その後、レール１０が上方に引き上げられ、順次レール部材２０〜２２が切り離されて、レール１０全体が屋上に回収される。
【００４２】
以上の実施の形態によれば、撓み防止機構１３によって壁面３への設置時のレール１０の撓みが防止され、吹付けをムラなく行うことができるので、その分レール１０を細くして軽量化することができる。また、レール１０が、その下端に取り付けられた車輪１１によって移動するので、従来のような壁面に設置されるガイドレールが必要なく、これによっても吹付け塗装システム１を単純化し軽量化することができる。よって、吹付け塗装システム１の設置や吹付け時のレール１０の移動などの吹付け作業を簡単に行うことができる。
【００４３】
撓み防止機構１３は、ワイヤ７０、ワイヤ固定部７１、ワイヤ巻取り部７２及びワイヤガイド部７３を有するものであるため、ワイヤ７０を巻取ることによりレール１０の撓みを矯正することができる。この結果、レール１０の撓み防止を簡単な機構で実現できる。
【００４４】
ワイヤ７０は、レール１０の前後方向Ｘの中心軸Ｃよりも壁面３から離れた位置でレール１０に沿って張設されるので、ワイヤ７０を巻き取ることにより、レール１０に対し壁面３側に凸に反る力を付与することができる。これにより、レール１０に壁面３側への付勢力を付与した状態で、レール１０を壁面３に押し付けて設置することができるので、壁面３への設置時のレール１０の姿勢を安定させることができる。また、吹付けユニット１２から壁面３に吹付け剤が供給された反動でレール１０が壁面３から離れる方向に撓むことを防止できる。
【００４５】
レール１０には、壁面３に近づく方向への撓みを許容する撓み許容部Ａが設けられているので、レール１０を壁面３に設置する前にレール１０を壁面３側に凸に反らせることができ、その状態でレール１０を壁面３に押し付けることができる。これにより、レール１０の壁面３側への付勢力を適切に付与した状態でレール１０を壁面３に設置でき、この時のレール１０の姿勢を確実に安定させることができる。
【００４６】
撓み許容部Ａは、レール部材２０〜２２の連結部により構成されているので、特別な機構を設けることなく撓み許容部Ａを実現できる。
【００４７】
レール１０には、スペーサ４０が設けられているので、レール１０と壁面３との距離を一定にし、吹付けをムラなく行うことができる。
【００４８】
吹付け塗装システム１は、車輪１１のガイドレール５０を有しているので、レール１０を壁面３の左右方向Ｙに好適に移動させることができる。また、ガイドレール５０には、壁面３に近接離間する方向への車輪１１のずれを防止する、突条部５０ａのような車輪ずれ防止機能が設けられているので、自重等によりレール１０の下側が壁面３から離れることを防止できる。
【００４９】
以上の実施の形態で記載したスペーサ４０は、図１１に示すようにレール１０の長手方向に垂直な左右方向Ｙの回転軸周りに回転自在な車輪９０を有するものであってもよい。また、スペーサ４０の車輪９０は、レール１０側に退避可能なものであってもよい。かかる場合、例えばスペーサ４０は、レール１０に対し回動可能な腕部９１を有している。この腕部９１の先端に車輪９０が取り付けられている。また、車輪９０には、レール１０の最上部まで延びるワイヤ９２が接続されている。車輪９０は、ばね９３によって、レール１０の車輪９０より下側の部分に連結されている。ばね９３が自然長の状態で、スペーサ４０はレール１０及び壁面３に対し垂直方向の姿勢となる。ワイヤ９２で車輪９０を上方に引っ張ると、図１２に示すように車輪９０が腕部９１の回動軸を中心に回動しレール１０に近づき、スペーサ４０が壁面３からレール１０側に退避する。ワイヤ９２を上方に引っ張っている力を除くと、ばね９３により車輪９０が下方に引っ張られ、スペーサ４０が壁面３に対して垂直方向の元の位置に戻される。
【００５０】
かかる場合、車輪９０によりレール１０を壁面３に沿って簡単に上下に移動させることができるので、例えば壁面３の上方からのレール１０の搬入、搬出を好適に行うことができる。また、スペーサ４０がレール１０側に退避可能であるので、例えばレール１０を左右方向Ｙにずらずときにスペーサ４０をレール１０側に退避させ、既に吹付けが行われている壁面３にスペーサ４０が接触することを防止できる。
【００５１】
以上の実施の形態において、撓み防止機構１３は、ワイヤ７０を用いたものであったが、図１３に示すようにレール１０から壁面３側に向けて突出する複数の突出部１００と、壁面３に設けられ、突出部１００が係止される係止部１０１を有するものであってもよい。かかる場合、図１４に示すように突出部１００は、下面が開口した直方体の箱状に形成され、下面に凹部１００ａを有している。係止部１０１は、壁面３から垂直方向に突出し、先端が上方に屈曲するフック状に形成されている。
【００５２】
突出部１００は、例えば各レール部材２０〜２１毎に設けられ、係止部１０１は、その突出部１００に対応する位置に設けられている。
【００５３】
そして、吹付け塗装システム１を壁面３に設置する際には、図１５に示すようにレール１０の各突出部１００が壁面３の係止部１０１にかけられる。これにより、壁面３に設置した際のレール１０の撓みを簡単に防止できる。また、レール１０の意図しない左右方向Ｙの移動も防止できる。
【００５４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５５】
例えば以上の実施の形態では、レールの移動手段が車輪１１であったが、ラックとピニオンからなる歯車機構により形成する構成も採用することが可能である。あるいは、車輪に換えてキャタピラを採用することも可能である。また、以上の実施の形態は、吹付け塗装システム１に適用した例であったが、本発明は、壁面に洗浄液を吹付ける洗浄システムなどの他の液体供給システムにも適用できる。
【産業上の利用可能性】
【００５６】
本発明は、壁面への液体供給をムラができないようにしつつ液体供給システムの軽量化を図り、液体供給システムによる液体供給作業を簡単に行う際に有用である。
【符号の説明】
【００５７】
１  吹付け塗装システム
２  建物
３  壁面
１０  レール
１１  車輪
１２  吹付けユニット
１３  撓み防止機構
２０〜２２  レール部材
４０  スペーサ
７０  ワイヤ
７１  ワイヤ固定部
７２  ワイヤ巻取り部
７３  ワイヤガイド部
Ａ  撓み許容部
Ｘ  前後方向
Ｙ  左右方向
【図１】
0005485030.tif 000002
【図２】
0005485030.tif 000003
【図３】
0005485030.tif 000004
【図４】
0005485030.tif 000005
【図５】
0005485030.tif 000006
【図６】
0005485030.tif 000007
【図７】
0005485030.tif 000008
【図８】
0005485030.tif 000009
【図９】
0005485030.tif 000010
【図１０】
0005485030.tif 000011
【図１１】
0005485030.tif 000012
【図１２】
0005485030.tif 000013
【図１３】
0005485030.tif 000014
【図１４】
0005485030.tif 000015
【図１５】
0005485030.tif 000016